(57)【要約】【課題】従来から一般的に行われている配電盤の搬送及び吊上げの方法では搬送用吊上げフレームは配電盤の据付が完了した後で廃棄されていたため、鋼材の無駄な消費があり、鋼材使用量の削減が困難であった。構造が簡単で、かつ複数の配電盤を横並びに設置する場合にも配置上の制約がなく、鋼材の無駄を省いた据付け用チャンネルベースを得る。【解決手段】上面に配電盤底面との固着手段を、下面に配電盤天井との固着手段をそれぞれ備え、配電盤の搬送時は配電盤天井部に取付けられ、吊上げが可能な構造であり、据付け時は配電盤天井部から取外して配電盤底部と固着されチャンネルベースとして使用するようにした。【選択図】図４
2011109760.tif 000002
【特許請求の範囲】
【請求項１】
上面に配電盤底面との固着手段を、下面に配電盤天井との固着手段をそれぞれ備え、配電盤の搬送時は配電盤天井部に取付けられ、吊上げが可能な構造であり、据付け時は配電盤天井部から取外して配電盤底部と固着されチャンネルベースとして使用される配電盤の据付用チャンネルベース。
【請求項２】
上面にワイヤ等の吊上げ手段と係合する手段を、下面に床等の設置面と固着する手段をそれぞれ備えたことを特徴とする請求項１記載の配電盤の据付用チャンネルベース。
【請求項３】
上面に配電盤底面との連結孔と、ワイヤ等と係合する吊上げボルトの取付け孔とを備え、下面に配電盤天井との連結孔と、床等の設置面と固着するチャンネルベース据付け孔とを備えた配電盤の据付用チャンネルベース。
【請求項４】
チャンネルベースの横幅は、配電盤の横幅と等しいか、配電盤２個の横幅に等しく設定されていることを特徴とする請求項１又は請求項３記載の配電盤の据付用チャンネルベース。
【請求項５】
配電盤の搬送時は配電盤天井部に取付けられ、吊上げが可能な構造であり、据付け時は配電盤天井部から取外して配電盤底部と固着されチャンネルベースとして使用するようにした配電盤の据付方法。
【発明の詳細な説明】
【技術分野】
【０００１】
この発明は、配電盤の搬送用吊上げ金具を兼用する据付用チャンネルベースの構造及び配電盤の据付方法に関するものである。
【背景技術】
【０００２】
配電盤の搬送（吊上げ）は一般的には吊上げ専用の金具を製作し、配電盤の据付けが完了した後で廃棄されていた。このため、鋼材使用量の削減が困難であった。なお、吊上げ金具とチャンネルベースとを兼用したものも考案されている。従来の吊上げ金具兼用チャンネルベースの構造は、チャンネルベースを配電盤底部に取付けた状態で吊上げ作業が可能な構造となっている（特許文献１参照）。
【０００３】
以下、従来の吊上げ金具兼用チャンネルベースの構造について、図７、図８により説明する。
配電盤３１とチャンネルベース３８とは、締め付けボルト等により締め付けられ、チャンネルベース３８の底部には、吊り金具と据付け用固定金具とを兼ねた据付金具３９を固着している。据付金具３９には、図８に示すように吊りワイヤ３４を引掛けるための切り欠き部３９ａと据付固定用のＬ形突起部３９ｂが設けられており、配電盤３１を吊り上げる時は、据付金具３９の切り欠き部３９ａに吊りワイヤ３４を引掛け、吊り上げ装置のフック３５で吊り上げる。
【０００４】
このような構成のため、吊り上げ時に屋根３２や側面カバー４０を外さなくてすみ、防水、防塵構造を損なうことが無く、また、重量物を収納した状態で配電盤３１をチャンネルベース３８を介して吊り上げることができるので、配電盤３１の壁構造を特別に強固にする必要が無く、据付け作業を簡単かつ安全に行うことができるとしている。
【先行技術文献】
【特許文献】
【０００５】
【特許文献１】実開昭６１−４１３０１号公報（第１図、第２図）
【発明の概要】
【発明が解決しようとする課題】
【０００６】
従来から一般的に行われている配電盤の搬送及び吊上げの方法は、搬送用吊上げフレームを製作し、配電盤の上部に取付けてクレーン等で吊上げ、配電盤を所定位置に据付けていた。そして、搬送用吊上げフレームは配電盤の据付けが完了した後で廃棄されていた。このため、鋼材の無駄な消費があり、鋼材使用量の削減が困難であった。
また、特許文献１に示す吊上げ金具兼用チャンネルベースの構造は、吊上げ用ワイヤ（又はフック）を掛ける部分がチャンネルベースとは別の構造物のため、チャンネルベースに溶接等で付加する必要があり、チャンネルベースの形状が複雑になる問題点があった。また、チャンネルベース寸法が配電盤の幅よりも大きくなるため、複数の配電盤を横並びに設置する場合には配電盤の間隔を一定以上離す必要があり、配置上の制約を伴う問題点があった。
【０００７】
この発明は上記のような課題を解決するためになされたものであり、チャンネルベースの構造を簡素化できるとともに、複数の配電盤を横並びに設置する場合の制約を解消するチャンネルベースを得ること及び鋼材使用量の削減を目的とする。また、この装置に適した配電盤の据付方法を提供することを目的とする。
【課題を解決するための手段】
【０００８】
配電盤の天井部及び底部とに固着するための手段を備え、搬送時は配電盤天井部に取付けることで吊上げが可能な構造とし、据付け時は配電盤天井から取外して配電盤底部と固着することで据付用チャンネルベースとして使用するようにした。
【発明の効果】
【０００９】
この発明によれば、チャンネルベースの構造を簡素化できるとともに、搬送用吊上げ金具と据付用チャンネルベースを兼用しているので、鋼材使用量の削減効果があり、また、複数の配電盤を横並びに設置する場合の制約を解消することができる。
【図面の簡単な説明】
【００１０】
【図１】この発明のチャンネルベースの実施の形態１を示す図で、（ａ）は平面図、（ｂ）は正面図、（ｃ）は側面図である。
【図２】この発明の実施の形態１における据付時の動作を示す斜視図である。
【図３】この発明の実施の形態１における据付後の状態を示す斜視図である。
【図４】この発明の実施の形態２における据付時の動作を示す斜視図である。
【図５】この発明の実施の形態２における据付後の状態を示す斜視図である。
【図６】この発明の実施の形態３における据付後の状態を示す斜視図である。
【図７】従来の吊上げ金具兼用チャンネルベースを使用した吊上げ状態を示す正面図である。
【図８】従来の吊上げ金具兼用チャンネルベースの構造を示す斜視図である。
【発明を実施するための形態】
【００１１】
実施の形態１．
以下、この発明の実施の形態１を図１、図２、図３に基づいて説明する。
図１はチャンネルベース本体１を示す図で、（ａ）は平面図、（ｂ）は正面図、（ｃ）は側面図である。チャンネルベース本体１には、吊上げボルト（アイボルト）取付け孔１ａ、配電盤底面との連結孔１ｂ、チャンネルベース据付け孔１ｃ、配電盤天井との連結孔１ｄが形成されている。チャンネルベース本体１の上部、下部にそれぞれ配電盤の吊上げ、及び据付が可能な孔加工を施している。このチャンネルベース本体１の横幅は、２つの配電盤の横幅の合計と等しく設定されている。
【００１２】
次に動作について説明する。
図２は、第１の配電盤２１と第２の配電盤２２の天井部に第２のチャンネルベース１２を取付けた状態で搬送した後、ワイヤ３等で吊上げを行ない、据付けを完了している第１のチャンネルベース１１の上に設置する状態を示している。第１のチャンネルベース１１の据付けはチャンネルベース据付け孔１ｃにて床等に固定している。第１の配電盤２１と第２の配電盤２２の天井部と第２のチャンネルベース１２の連結は配電盤天井との連結孔１ｄにて連結する。また、第１の配電盤２１と第２の配電盤２２と第１のチャンネルベース１１は配電盤底面との連結孔１ｂにて連結する。図３は、図２の第１の配電盤２１と第２の配電盤２２が設置完了した状態を示している。
なお、上記実施の形態１では配電盤の搬送（吊上げ）用の金具を配電盤の据付用チャンネルベースとして使用するので、搬送用の専用金具を製作する必要性が無く鋼材使用量を削減することができる。
【００１３】
実施の形態２．
図４、図５は２つの配電盤の組を２組設置する場合の実施の形態２を示す斜視図である。図４において、第２のチャンネルベース１２を第１の配電盤２１と第２の配電盤２２の天井部から取外し、第１のチャンネルベース１１の横に据付ける。そして、第２のチャンネルベース１２の上に第３のチャンネルベース１３により吊上げられた第３の配電盤２３と第４の配電盤２４を設置する。その後、実施の形態１と同様に第３の配電盤２３と第４の配電盤と第２のチャンネルベース１２とは、配電盤底面との連結孔１ｂにより連結固着される。図５（ａ）は図４の状態から第３の配電盤２３と第４の配電盤４が設置完了した状態を示す。第３の配電盤２３と第４の配電盤２４の天井部に取付けている第３のチャンネルベース１３は不要な場合は取外す。（図５（ｂ））
【００１４】
実施の形態３．
実施の形態２では、配電盤の数が４台の場合について述べたが、図６に示すように、配電盤が横並びに設置する数が多い場合には、搬送用の専用金具を製作するために必要な鋼材使用量の削減効果が大きくなる。
図６は、第１の配電盤２１から第８の配電盤２８までの８台の配電盤を横一列に設置した状態を示しており、第１のチャンネルベース１１から第４のチャンネルベース１４までの４台のチャンネルベース上に設置されている。なお、第５のチャンネルベース１５は不要な場合は取外す。
【００１５】
なお、上記実施の形態の説明では、チャンネルベースの横幅を２つの配電盤の横幅の合計に等しいとして説明しているが、１つの配電盤の横幅と等しくすることも可能である。また、チャンネルベースの横幅を配電盤の横幅より多少小さくしておけば、据付時に連結孔の位置を気にすることなく配電盤間の隙間を無くすことが容易となる。また、配電盤間の隙間を設けることが可能な設置条件の場合には、チャンネルベースの横幅を配電盤の横幅より多少大きくすることもあり得る。
以上のように、この発明によれば、チャンネルベースの構造を簡素化できるとともに、搬送用吊上げ金具と据付用チャンネルベースを兼用しているので、鋼材使用量の削減効果がある。また、複数の配電盤を横並びに設置する場合にその効果は大きい。
【符号の説明】
【００１６】
１  チャンネルベース本体、  １ａ  吊上げボルト取付け孔、  １ｂ  配電盤底面との連結孔、  １ｃ  チャンネルベース据付け孔、  １ｄ  配電盤天井との連結孔、  １１  第１のチャンネルベース、  １２  第２のチャンネルベース、  ２１  第１の配電盤、  ２２  第２の配電盤、  ２３  第３の配電盤、  ２４  第４の配電盤、  ３  ワイヤ。
【図１】
2011109760.tif 000003
【図２】
2011109760.tif 000004
【図３】
2011109760.tif 000005
【図４】
2011109760.tif 000006
【図５】
2011109760.tif 000007
【図６】
2011109760.tif 000008
【図７】
2011109760.tif 000009
【図８】
2011109760.tif 000010